(57)【特許請求の範囲】
【請求項１】
一対の側板(1)及びこれに対し直角をなす一対の端板(2)を連設して角筒状の周壁(18)を形成し、底壁(19)を設け、側板(1)の上端に棚部(5)を連設して、棚部(5)に鉢物を挿入する鉢穴(9)を穿設し、棚部(5)を対向する側板(1)間に渡した鉢物ケースにおいて、前記棚部(5)を、対向する側板(1)の上端からそれぞれ延出し、各棚部(5)に異なる個数及び大きさの鉢穴(9)を設け、使用に際し、収納する鉢物の個数及び大きさに応じて、いずれかの側板(1)から延びる棚部(5)を選択し、その棚部(5)を対向する側板(1)へ向けて折り曲げることを特徴とする鉢物ケース。
【請求項２】
請求項１に記載の鉢物ケースにおいて、前記各棚部(5)を、繋部付きの切目線(10)を介して端板(2)に繋いでおき、使用に際し、選択した棚部(5)を切目線(10)の繋部の切断に伴い端板(2)から切り離すことを特徴とする鉢物ケース。
【請求項３】
請求項１又は２に記載の鉢物ケースにおいて、前記棚部(5)に基端側から棚板(6)及び先板(7)を順次設け、使用に際し、先板(7)を上方へ折り曲げ、棚板(6)を周壁(18)に係合させて支持することを特徴とする鉢物ケース。
【発明の詳細な説明】
【技術分野】
【０００１】
この発明は、鉢に植物を植えた鉢物の輸送に使用する鉢物ケースに関するものである。
【背景技術】
【０００２】
従来、下記特許文献１には、図８に示すように、高低一対の側板５１及びこれに対し直角をなす一対の端板５２を連設して角筒状の周壁５３を形成し、底壁５４を設け、背の低い一方の側板５１の上端に棚部５５を連設して、棚部５５に棚板５６及び先板５７を基端側から順次設け、棚板５６に鉢穴５８を設けた鉢物ケースが記載されている。
【０００３】
この鉢物ケースは、使用に際し、棚板５６を対向する側板５１の間に渡し、先板５７を対向する他方の側板５１沿いに下方へ折り曲げて、先板５７の先端を底壁５４に当接させることにより、棚板５６を支持した状態で、鉢穴５８に鉢物Ｐを挿入する。
【０００４】
ここで、鉢物Ｐには、通常、植物の種類に応じて、大きな鉢を使用した大型のものと、小さな鉢を使用した小型のものとがあり、図示のものでは、小型の鉢物Ｐを２個収納できるように、小径の鉢穴５８が棚板５６に２個横に並べて配置されている。
【０００５】
【特許文献１】特許第３１０３７７７号公報
【発明の開示】
【発明が解決しようとする課題】
【０００６】
しかしながら、上記のような構成の鉢物ケースでは、大型の鉢物を１個のみ収納しようとする場合、２個の鉢穴が設けられたものとは別に、大径の鉢穴が１個のみ設けられたものを用意する必要がある。
【０００７】
そこで、この発明は、個数及び大きさの異なる鉢物の収納に兼用できる鉢物ケースを提供することを課題とする。
【課題を解決するための手段】
【０００８】
上記課題を解決するため、この発明は、一対の側板及びこれに対し直角をなす一対の端板を連設して角筒状の周壁を形成し、底壁を設け、側板の上端に棚部を連設して、棚部に鉢物を挿入する鉢穴を穿設し、棚部を対向する側板間に渡した鉢物ケースにおいて、前記棚部を、対向する側板の上端からそれぞれ延出し、各棚部に異なる個数及び大きさの鉢穴を設け、使用に際し、収納する鉢物の個数及び大きさに応じて、いずれかの側板から延びる棚部を選択し、その棚部を対向する側板へ向けて折り曲げることとしたのである。
【０００９】
また、前記各棚部を、繋部付きの切目線を介して端板に繋いでおき、使用に際し、選択した棚部を切目線の繋部の切断に伴い端板から切り離すこととしたのである。
【００１０】
さらに、前記棚部に基端側から棚板及び先板を順次設け、使用に際し、先板を上方へ折り曲げ、棚板を周壁に係合させて支持することとしたのである。
【発明の効果】
【００１１】
この鉢物ケースでは、収納する鉢物の個数及び大きさに応じて、棚部を選択することにより、個数及び大きさの異なる鉢物の収納に兼用できるので、複数種の鉢物ケースを用意する必要がなくなり、製造に要する抜型の製作費を削減することができるほか、在庫管理も合理化することができる。
【発明を実施するための最良の形態】
【００１２】
まず、この発明の第１実施形態を図１乃至図５に基づいて説明する。
【００１３】
この鉢物ケースの段ボール製ブランクでは、図１に示すように、一対の背の低い側板１と、一対の背の高い端板２とが交互に連設され、側板１及び端板２の下端には、底板３，４がそれぞれ連設されている。
【００１４】
側板１の上端には、棚部５が連設され、棚部５には、基端側から棚板６及び先板７が順次設けられている。一方の側板１及び棚部５の外側には、継代片８が設けられている。
【００１５】
各棚部５の棚板６には、それぞれ鉢穴９となる部分が設けられている。このうち、一方の棚部５では、小径の鉢穴９が棚板６に２個横に並べて配置され、他方の棚部５では、大径の鉢穴９が棚板６の中央部に１個配置されている。
【００１６】
鉢穴９は、中心で交わる多数本の波状の切目線９ａを入れ、各切目線９ａの外端を結ぶ円形の押罫から成る折目線９ｂを入れて、放射状に折込片９ｃを形成したものとされている。各切目線９ａには、鉢穴９が不意に開かないように、鉢穴９の中心寄りに繋部が設けられている。
【００１７】
各棚部５と端板２との間及び一方の棚部５と継代片８との間には、切溝が入れられ、各棚部５は、先板７に切れ込む切目線１０に設けられた繋部により、端板２及び継代片８に繋がれて、切目線１０の内側は、押込片１１とされている。
【００１８】
この切目線１０の繋部により、端板２に対して棚部５が固定されるので、フォルダグルア等での製造時における不良発生が防止され、鉢物出荷時の組立性が向上する。
【００１９】
棚板６の先端中央部には、先板７への切込により突片１２ａが設けられ、棚板６の両側中央部には、突片１２ｂが端板２又は継代片８へ向けて設けられている。
【００２０】
棚板６と側板１の境界中央部には、スリット状の係合穴１３が設けられ、端板２の下部には、門型の切込により係合穴１４及び端支持片１５が設けられている。端支持片１５の基端は、棚板６の基端の高さに一致している。
【００２１】
側板１と端板２及び側板１と継代片８の隣接部には、その境界を横切る２本の切目線に挟まれた隅支持片１６が設けられ、隅支持片１６の上縁は、棚板６の基端の高さに一致している。また、端板２の上部には、取手穴１７が設けられている。
【００２２】
上記のようなブランクから鉢物ケースを組み立てるには、図２に示すように、各一対の側板１及び端板２を折り曲げて、四角筒状の周壁１８を形成し、継代片８を他方の端板２の内側に貼り付け、底板３同士を噛み合わせて底壁１９を形成する。
【００２３】
そして、図３及び図４に示すように、１個の大型の鉢物Ｐを収納する際には、棚板６に１個の大径の鉢穴９を有する棚部５を選択し、その棚部５を、上部の押込片１１を押し込んで、切目線１０の繋部を切断することにより、一対の端板２から切り離す。
【００２４】
次に、この棚部５の棚板６を、対向する側板１へ向けて折り曲げ、側板１間に渡すと共に、先板７を上方へ折り曲げて、他方の棚部５の内側に沿わせる。
【００２５】
また、隅支持片１６を中央の折目線が谷折りとなるように押し込み、端支持片１５を内側へ折り曲げて、突片１２ａを、対向する側板１と棚部５の境界の係合穴１３に係合させると共に、突片１２ｂを、係合穴１４に係合させて端支持片１５で受け止め、棚板６の四隅部を隅支持片１６で受け止めて、棚板６の落下及び撓みを防止する。
【００２６】
このように組み立てた状態で、鉢穴９に鉢物Ｐを挿入しようとすると、鉢物Ｐの荷重で切目線９ａの繋部が切れ、折目線９ｂに沿って折込片９ｃが下方へ折れ曲がり、鉢物Ｐが鉢穴９に嵌まり込み、棚板６に保持される。
【００２７】
一方、図５に示すように、２個の小型の鉢物Ｐを収納する際には、棚板６に２個の小径の鉢穴９を有する棚部５を選択し、その棚部５を、上記と同様にして、一対の端板２から切り離し、対向する側板１間に渡した棚板６を支持して、棚板６の落下及び撓みを防止した状態で、鉢物Ｐを２個の鉢穴９にそれぞれ挿入する。
【００２８】
上記のような鉢物ケースでは、収納する鉢物Ｐの個数及び大きさに応じて、棚部５を選択することにより、個数及び大きさの異なる鉢物Ｐの収納に兼用できるので、複数種の鉢物ケースを用意する必要がなくなり、製造に要する抜型の製作費を削減することができるほか、在庫管理も合理化することができる。
【００２９】
次に、この発明の第２実施形態を図６及び図７に基づいて説明する。なお、ここでは、上記第１実施形態との相違点についてのみ言及する。
【００３０】
この鉢物ケースは、図６に示すブランクを、図７に示すような形状に組み立てて使用するものであり、棚部５の先板７は、対向する側板１に沿って下方へ折り曲げ、その先端を底壁１９に当接させて、棚板６を支持する。
【００３１】
このような構成とすると、上記第１実施形態のように、棚板６の先端の突片１２ａや、これに対応する係合穴１３、棚板６の四隅を受け止める隅支持片１６等が不要となる。
【００３２】
ただし、解体する際には、先板７を直接摘んで棚板６を起こすことができないため、鉢穴９に手を入れて、棚板６を下面から押し上げる等の方法による必要があり、この鉢物ケースでは、折込片９ｃを短く設定し、切目線９ａを直線としている。
【００３３】
なお、上記各実施形態では、周壁１８が四角筒状のものを例示したが、側板１と端板２とがなす稜部において、面取り部分を設けるようにしてもよい。
【図面の簡単な説明】
【００３４】
【図１】この発明に係る鉢物ケースの第１実施形態のブランクを示す図
【図２】同上の組立過程を示す斜視図
【図３】同上の組立状態を示す斜視図
【図４】同上の１個の大型鉢物を収納した状態を示す斜視図
【図５】同上の２個の小型鉢物を収納した状態を示す斜視図
【図６】この発明に係る鉢物ケースの第２実施形態のブランクを示す図
【図７】同上の１個の大型鉢物を収納した状態を示す斜視図
【図８】従来の鉢物ケースを示す斜視図
【符号の説明】
【００３５】
１  側板
２  端板
３，４  底板
５  棚部
６  棚板
７  先板
８  継代片
９  鉢穴
９ａ  切目線
９ｂ  折目線
９ｃ  折込片
１０  切目線
１１  押込片
１２ａ，１２ｂ  突片
１３，１４  係合穴
１５  端支持片
１６  隅支持片
１７  取手穴
１８  周壁
１９  底壁
Ｐ  鉢物
【図１】
0005096234.tif 000002
【図２】
0005096234.tif 000003
【図３】
0005096234.tif 000004
【図４】
0005096234.tif 000005
【図５】
0005096234.tif 000006
【図６】
0005096234.tif 000007
【図７】
0005096234.tif 000008
【図８】
0005096234.tif 000009